(57)【特許請求の範囲】
【請求項１】
楽器ケース内の前部側に設けられた鍵盤部を鍵盤蓋で開閉自在に覆う鍵盤蓋の開閉装置において、
前記鍵盤蓋は、前蓋と後蓋とを備え、これら前蓋と後蓋とが連結部材によって分離可能に連結され、
前記楽器ケースには、前記鍵盤蓋を閉じた状態のときに前記前蓋と前記後蓋とを前記楽器ケース内の前部側にほぼ平坦状にガイドする共通ガイド溝部と、前記鍵盤蓋を開いときに前記後蓋を前記楽器ケース内の後部側にガイドする第１ガイド溝部と、前記前蓋を前記後蓋とほぼ平行に前記楽器ケース内の後部側にガイドする第２ガイド溝部と、前記第１、第２ガイド溝部を前記共通ガイド溝部から分岐する分岐部とが設けられていることを特徴とする鍵盤蓋の開閉装置。
【請求項２】
前記共通ガイド溝部は、幅の広い第１溝と、この第１溝内の底部に設けられた幅の狭い第２溝とからなり、前記第１ガイド溝部は前記第１溝が前記分岐部で分岐されて前記楽器ケース内の後部側に延長され、前記第２ガイド溝部は少なくとも前記第２溝が前記分岐部で分岐されて前記楽器ケース内の後部側に前記第１ガイド溝部とほぼ平行に延長され、
前記後蓋の前後部には前記第１溝内に挿入して移動する第１突起部が設けられ、前記前蓋の前後部には少なくとも前記第２溝内に挿入して移動する第２突起部が設けられていることを特徴とする請求項１に記載の鍵盤蓋の開閉装置。
【請求項３】
前記前蓋と前記後蓋とを分離可能に連結する前記連結部材は、前記後蓋の後部に設けられた前記第１突起部に回動可能に取り付けられて前記後蓋の前方に突出する前端部に連結突起部を有する第１連結片と、前記前蓋の前後部にそれぞれ設けられた前記第２突起部に取り付けられて前記第１連結片の前記連結突起部が移動可能に挿入するスリット孔を有する第２連結片とを備えていることを特徴とする請求項１または２に記載の鍵盤蓋の開閉装置。
【請求項４】
前記分岐部は、幅の狭い前記第２溝内に設けられて前記第２突起部の先端面が弾接して深さ方向に弾性変形する板ばね部材と、前記第２突起部の先端部のみが通過する切欠き部を有して前記板ばね部材の弾性変形に伴って前記第１溝内から前記第２溝側に向けて出没する規制部材とを備えていることを特徴とする請求項１〜３のいずれかに記載の鍵盤蓋の開閉装置。
【請求項５】
楽器ケース内の前部側に設けられた鍵盤部を鍵盤蓋で開閉自在に覆う鍵盤蓋の開閉装置において、
前記鍵盤蓋は、複数の蓋体が屈曲可能な連結シートで折り曲がり可能に順次連結され、
前記楽器ケースには、前記鍵盤蓋を閉じた状態のときに前記複数の蓋体を前記楽器ケース内の前部側にほぼ平坦状にガイドする共通ガイド溝部と、前記鍵盤蓋を開いときに前記複数の蓋体を順次谷折りと山折りとに折り畳みながら前記楽器ケース内の後部側にガイドする第１、第２ガイド溝部と、この第１、第２ガイド溝部を前記共通ガイド溝部から分岐する分岐部とが設けられていることを特徴とする鍵盤蓋の開閉装置。
【請求項６】
前記共通ガイド溝部は、幅の広い第１溝と、この第１溝内に設けられた幅の狭い第２溝とからなり、前記第１ガイド溝部は前記第１溝が前記分岐部で分岐されて前記楽器ケース内の後部側に延長され、前記第２ガイド溝部は少なくとも前記第２溝が前記分岐部で分岐されて前記楽器ケース内の後部側に前記第１ガイド溝部とほぼ平行に延長され、
前記複数の蓋体のうち、互いに隣接して谷折りとなる前記蓋体の端部には、前記第１溝内に挿入して移動する第１突起部が設けられ、互いに隣接して山折りとなる前記蓋体の端部には、少なくとも前記第２溝内に挿入して移動する第２突起部が設けられていることを特徴とする請求項５に記載の鍵盤蓋の開閉装置。
【請求項７】
前記分岐部は、幅の狭い前記第２溝内に設けられて前記第２突起部の先端面が弾接して深さ方向に弾性変形する板ばね部材と、前記第２突起部の先端部のみが通過する切欠き部を有して前記板ばね部材の弾性変形に伴って前記第１溝内から前記第２溝側に向けて出没する規制部材とを備えていることを特徴とする請求項５または６に記載の鍵盤蓋の開閉装置。
【発明の詳細な説明】
【技術分野】
【０００１】
この発明は、ピアノなどの鍵盤楽器に用いられる鍵盤蓋の開閉装置に関する。
【背景技術】
【０００２】
従来、ピアノなどの鍵盤楽器においては、楽器ケースのコンパクト化を図るために、特許文献１に記載されているように、鍵盤蓋を複数の蓋体に分割し、この複数の蓋体を順次折り曲がり可能に連結して鍵盤蓋を構成し、この鍵盤蓋で楽器ケース内に設けられた鍵盤部を開閉自在に覆うように構成したものがある。このような鍵盤楽器では、鍵盤蓋を閉じたときに複数の蓋体が平坦状をなして鍵盤部を覆い、鍵盤蓋を開いときに複数の蓋体が順次折り畳まれて楽器ケース内に収納される。
【特許文献１】特開平９−４４１４４号
【０００３】
この場合、鍵盤蓋は、前蓋と中間蓋と後蓋とを備え、これらを蝶番によって折り曲がり可能に連結する際、前蓋と中間蓋とが山折りになり、中間蓋と後蓋とが谷折りになるように、前蓋と中間蓋と後蓋とをそれぞれ蝶番で連結している。また、楽器ケース内には、前蓋の前端部をガイドする前蓋ガイド部と、後蓋の後端部をほぼ水平にガイドする後蓋ガイド部と、中間蓋を斜めに傾けてガイドする中間ガイド部とが設けられている。
【０００４】
このような鍵盤蓋の開閉装置では、鍵盤蓋を閉じたときに、後蓋の後端部が後蓋ガイド部でガイドされた状態で、前蓋、中間蓋、および後蓋が前蓋ガイド部で支持され、これにより前蓋、中間蓋、および後蓋が平坦状に連続して鍵盤部を覆う。また、この状態で鍵盤蓋を開くときには、前蓋を楽器ケース内の後方に向けて移動させると、これに伴って中間蓋が後方に移動する共に後蓋の後端部が後蓋ガイド部でガイドされながら後方に移動し、中間蓋が前蓋ガイド部の後方に移動すると、中間蓋が中間ガイド部でガイドされながら斜め後方に移動するので、前蓋と中間蓋とが山折り状態になると共に、中間蓋と後蓋とが谷折り状態になり、これにより中間蓋と後蓋とが折り畳まれて収納される。
【発明の開示】
【発明が解決しようとする課題】
【０００５】
しかしながら、このような従来の鍵盤蓋の開閉装置では、鍵盤蓋を開いて収納したときに、前蓋と中間蓋とが山折り状態になると共に、中間蓋と後蓋とが谷折り状態になり、これにより楽器ケース内にコンパクトに収納されるが、この状態では中間蓋が前蓋の後端部と後蓋の前端部とで保持されているだけであるから、中間蓋が楽器ケース内に浮いた状態となり、中間蓋が不安定で、楽器ケース内で揺れてしまうという問題がある。このような問題は、中間蓋が更に分割されて中間蓋の枚数が多くなるに従って大きな問題になる。
【０００６】
この発明が解決しようとする課題は、複数の蓋体を連結した鍵盤蓋を楽器ケース内に安定した状態でコンパクトに折り畳むことができる鍵盤蓋の開閉装置を提供することである。
【課題を解決するための手段】
【０００７】
この発明は、上記課題を解決するために、次のような構成要素を備えている。
なお、各構成要素には、後述する各実施形態の項で説明される各要素に付されている図面の参照番号などを括弧と共に付す。
【０００８】
請求項１に記載の発明は、図１〜図１０に示すように、楽器ケース（１）内の前部側に設けられた鍵盤部（２）を鍵盤蓋（３）で開閉自在に覆う鍵盤蓋の開閉装置において、
前記鍵盤蓋は、前蓋（１２）と後蓋（１３）とを備え、これら前蓋と後蓋とが連結部材（１４）によって分離可能に連結され、
前記楽器ケースには、前記鍵盤蓋を閉じた状態のときに前記前蓋と前記後蓋とを前記楽器ケース内の前部側にほぼ平坦状にガイドする共通ガイド溝部（１６）と、前記鍵盤蓋を開いときに前記後蓋を前記楽器ケース内の後部側にガイドする第１ガイド溝部（１７）と、前記前蓋を前記後蓋とほぼ平行に前記楽器ケース内の後部側にガイドする第２ガイド溝部（１８）と、前記第１、第２ガイド溝部を前記共通ガイド溝部から分岐する分岐部（１９）とが設けられていることを特徴とする鍵盤蓋の開閉装置である。
【０００９】
請求項２に記載の発明は、図１〜図１０に示すように、前記共通ガイド溝部（１６）が、幅の広い第１溝（２０）と、この第１溝内の底部に設けられた幅の狭い第２溝（２１）とからなり、前記第１ガイド溝部（１７）は前記第１溝が前記分岐部（１９）で分岐されて前記楽器ケース（１）内の後部側に延長され、前記第２ガイド溝部（１８）は少なくとも前記第２溝が前記分岐部で分岐されて前記楽器ケース内の後部側に前記第１ガイド溝部とほぼ平行に延長され、
前記後蓋（１３）の前後部には前記第１溝内に挿入して移動する第１突起部（２２）が設けられ、前記前蓋（１２）の前後部には少なくとも前記第２溝内に挿入して移動する第２突起部（２３）が設けられていることを特徴とする請求項１に記載の鍵盤蓋の開閉装置である。
【００１０】
請求項３に記載の発明は、図１〜図１０に示すように、前記前蓋（１２）と前記後蓋（１３）とを分離可能に連結する前記連結部材（１４）が、前記後蓋の後部に設けられた前記第１突起部（２２）に回動可能に取り付けられて前記後蓋の前方に突出する前端部に連結突起部（２８）を有する第１連結片（２６）と、前記前蓋の前後部にそれぞれ設けられた前記第２突起部（２３）に取り付けられて前記第１連結片の前記連結突起部が移動可能に挿入するスリット孔（２７ａ）を有する第２連結片（２７）とを備えていることを特徴とする請求項１または２に記載の鍵盤蓋の開閉装置である。
【００１１】
請求項４に記載の発明は、図１〜図１０に示すように、前記分岐部（１９）が、幅の狭い前記第２溝（２１）内に設けられて前記第２突起部（２３）の先端面が弾接して深さ方向に弾性変形する板ばね部材（２４）と、前記第２突起部の先端部のみが通過する切欠き部（２５ａ）を有して前記板ばね部材の弾性変形に伴って前記第１溝（２０）内から前記第２溝側に向けて出没する規制部材（２５）とを備えていることを特徴とする請求項１〜３のいずれかに記載の鍵盤蓋の開閉装置である。
【００１２】
請求項５に記載の発明は、図１１〜図１５に示すように、楽器ケース（１）内の前部側に設けられた鍵盤部（２）を鍵盤蓋（３２）で開閉自在に覆う鍵盤蓋の開閉装置において、
前記鍵盤部は、複数の蓋体（３０）が屈曲可能な連結シート（３１）で折り曲がり可能に順次連結され、
前記楽器ケースには、前記鍵盤蓋を閉じた状態のときに前記複数の蓋体を前記楽器ケース内の前部側にほぼ平坦状にガイドする共通ガイド溝部（１６）と、前記鍵盤蓋を開いときに前記複数の蓋体を順次折り畳みながら前記楽器ケース内の後部側にガイドする第１、第２ガイド溝部（１７、１８）と、この第１、第２ガイド溝部を前記共通ガイド溝部から分岐する分岐部（１９）とが設けられていることを特徴とする鍵盤蓋の開閉装置である。
【００１３】
請求項６に記載の発明は、図１１〜図１５に示すように、前記共通ガイド溝部（１６）が、幅の広い第１溝（２０）と、この第１溝内の底部に設けられた幅の狭い第２溝（２１）とからなり、前記第１ガイド溝部（１７）は前記第１溝が前記分岐部（１９）で分岐されて前記楽器ケース（１）内の後部側に延長され、前記第２ガイド溝部（１８）は少なくとも前記第２溝が前記分岐部で分岐されて前記楽器ケース内の後部側に前記第１ガイド溝部とほぼ平行に延長され、
前記複数の蓋体（３０）のうち、互いに隣接して谷折りとなる前記蓋体の端部には、前記第１溝内に挿入して移動する第１突起部（２２）が設けられ、互いに隣接して山折りとなる前記蓋体の端部には、少なくとも前記第２溝内に挿入して移動する第２突起部（２３）が設けられていることを特徴とする請求項５に記載の鍵盤蓋の開閉装置である。
【００１４】
請求項７に記載の発明は、図５〜図７、および図１１〜図１５に示すように、前記分岐部（１９）が、幅の狭い前記第２溝（２１）内に設けられて前記第２突起部（２３）の先端面が弾接して深さ方向に弾性変形する板ばね部材（２４）と、前記第２突起部の先端部のみが通過する切欠き部（２５ａ）を有して前記板ばね部材の弾性変形に伴って前記第１溝（２０）内から前記第２溝側に向けて出没する規制部材（２５）とを備えていることを特徴とする請求項５または６に記載の鍵盤蓋の開閉装置である。  
【発明の効果】
【００１５】
請求項１に記載の発明によれば、前蓋と後蓋とが連結部材によって分離可能に連結された鍵盤蓋を閉じた状態のときに、前蓋と後蓋とが楽器ケースの共通ガイド溝部によって楽器ケース内の前部側にガイドされてほぼ平坦状に保持されるので、前蓋と後蓋とによって鍵盤部を確実に且つ良好に覆うことができる。また、共通ガイド溝部が分岐部によって第１ガイド溝部と第２ガイド溝部とに分岐されているので、鍵盤蓋を開くときに、後蓋を楽器ケースの第１ガイド溝部に確実に送り込むことができると共に、連結部材で前蓋を後蓋から分離させて楽器ケースの第２ガイド溝部に確実に送り込むことができる。
【００１６】
これにより、後蓋を第１ガイド溝部で確実にガイドして保持することができると共に、前蓋を第２ガイド溝部でガイドして後蓋と重なるようにほぼ平行に保持することができる。このため、鍵盤蓋を開いて楽器ケース内に収納した状態のときには、第１、第２ガイド溝部によって前蓋と後蓋とを楽器ケース内に上下に重ねて確実に保持することができるので、鍵盤蓋が前蓋と後蓋とを連結部材で分離可能に連結した構成であっても、楽器ケース内に前蓋と後蓋とを安定した状態で収納することができると共に、前蓋と後蓋とを上下に重ねてコンパクトに折り畳んで収納することができる。
【００１７】
請求項２に記載の発明によれば、共通ガイド溝部が、幅の広い第１溝と、この第１溝内底部に設けられた幅の狭い第２溝とからなり、第１溝が分岐部で分岐されて第１ガイド溝部として楽器ケース内の後部側に延長され、少なくとも第２溝が分岐部で分岐されて第２ガイド溝部として楽器ケース内の後部側に第１ガイド溝部とほぼ平行に延長され、後蓋の前後部に設けられた第１突起部が第１溝内に挿入して移動し、前蓋の前後部に設けられた第２突起部が少なくとも第２溝内に挿入して移動することにより、鍵盤蓋を開くときに、後蓋を共通ガイド溝部から第１ガイド溝部に確実にガイドして保持することができると共に、前蓋を共通ガイド溝部から第２ガイド溝部に確実にガイドして後蓋とほぼ平行に保持することができる。
【００１８】
請求項３に記載の発明によれば、前蓋と後蓋とを分離可能に連結する連結部材が、後蓋の後部に設けられた第１突起部に回動可能に取り付けられて後蓋の前方に突出する前端部に連結突起部を有する第１連結片と、前蓋の前後部にそれぞれ設けられた第２突起部に取り付けられて第１連結片の連結突起部が移動可能に挿入するスリット孔を有する第２連結片とを備えていることにより、鍵盤蓋を開くときに、前蓋と後蓋とを連結部材で確実に分離させて第１、第２ガイド溝部に個別に送り込むことができ、また鍵盤蓋を閉じるときに、前蓋と後蓋とを連結部材で確実に連結して連動させることができる。
【００１９】
すなわち、鍵盤蓋を開いて前蓋と後蓋とを楽器ケース内に収納するときに、後蓋が第１ガイド溝部でガイドされて収納されると、連結部材の第１連結片が後蓋の後部の第１突起部を中心に回動して後蓋の前部と前蓋の後部とを分離すると共に、第１連結片の連結突起部が第２連結片のスリット孔内を前側に向けて相対的に移動するので、前蓋を後蓋から分離させて第２ガイド溝部でガイドすることができ、これにより前蓋と後蓋とを上下に重ねて収納することができる。また、鍵盤蓋を閉じるときには、前蓋と後蓋とが分離されているので、前蓋を引出しても、初期段階では前蓋と共に後蓋が引出されず、第１連結片の連結突起部が第２連結片のスリット孔内を後方に向けて相対的に移動し、この連結部材が第２連結片のスリット孔の後端部に当接すると、この連結突起部によって後蓋を前蓋に連結させることができ、これにより後蓋を前蓋と共に前方に向けて確実に移動させることができるので、前蓋と後蓋とで鍵盤部を覆うことができる。
【００２０】
請求項４に記載の発明によれば、分岐部が、幅の狭い第２溝内に設けられて第２突起部の先端面が弾接して深さ方向に弾性変形する板ばね部材と、前蓋の第２突起部の先端部のみが通過する切欠き部を有して板ばね部材の弾性変形に伴って第１溝内から第２溝側に向けて出没する規制部材とを備えていることにより、第２突起部の強度を確保するために、第２突起部を、第１溝に挿入する大径突起部の先端面に第２溝に挿入する小径突起部を設けた構成にし、この第２突起部が挿入して移動する第２ガイド溝部を、共通ガイド溝部の第１溝と第２溝とがそのまま延長された構成にしても、鍵盤蓋を開くときに、板ばね部材と規制部材とによって、前蓋の第２突起部を共通ガイド溝部から第２ガイド溝部に確実にガイドすることができると共に、後蓋の第１突起部を共通ガイド溝部から第１ガイド溝部に確実にガイドすることができる。
【００２１】
すなわち、鍵盤蓋を開くときに、後蓋の第１突起部が共通ガイド溝部を移動して分岐部に到達すると、第１突起部の先端面が幅の狭い第２溝内の板ばね部材を押圧させず、弾性変形させることがないため、規制部材が第１溝内に突出した状態を維持し、この規制部材によって第１突起部を第１ガイド溝部の第１溝に確実にガイドすることができる。また、前蓋の第２突起部が共通ガイド溝部から分岐部に到達すると、第２突起部の先端部が板ばね部材を弾性変形させて規制部材を第１溝内から第２溝側に没入させるので、第１溝が開放されると共に規制部材の切欠け部が第２溝に対応し、これにより切欠け部を第２突起部の先端部つまり小径突起部が通過すると共に、第２突起部の大径突起部が規制部材で規制されずに第１溝内を移動するので、第２突起部を第２ガイド溝部に確実にガイドすることができる。
【００２２】
請求項５に記載の発明によれば、複数の蓋体が屈曲可能な連結シートで折り曲がり可能に連結された鍵盤蓋を閉じた状態のときに、複数の蓋体が楽器ケースの共通ガイド溝部によって楽器ケース内の前部側にガイドされてほぼ平坦状に保持されるので、複数の蓋体によって鍵盤部を確実に且つ良好に覆うことができる。また、共通ガイド溝部が分岐部によって第１ガイド溝部と第２ガイド溝部とに分岐されているので、鍵盤蓋を開くときに、複数の蓋体を第１、第２ガイド溝部で確実にガイドしながら順次谷折りと山折りとに折り畳むことができると共に、複数の蓋体を第１、第２ガイド溝部で確実に保持することができる。
【００２３】
このため、鍵盤蓋を開いて楽器ケース内に収納した状態のときには、第１、第２ガイド溝部によって複数の蓋体を楽器ケース内に谷折りと山折りとに折り畳んで確実に保持することができるので、鍵盤蓋が複数の蓋体を連結シートで折り曲がり可能に連結した構成であっても、楽器ケース内に複数の蓋体を安定した状態で収納することができると共に、複数の蓋体を折り畳んで楽器ケース内の後部側にコンパクトに収納することができる。
【００２４】
請求項６に記載の発明によれば、共通ガイド溝部が、幅の広い第１溝と、この第１溝内の底部に設けられた幅の狭い第２溝とからなり、第１ガイド溝部は第１溝が分岐部で分岐されて楽器ケース内の後部側に延長され、第２ガイド溝部は少なくとも第２溝が分岐部で分岐されて楽器ケース内の後部側に第１ガイド溝部とほぼ平行に延長され、複数の蓋体のうち、互いに隣接して谷折りとなる蓋体の端部に設けられた第１突起部が第１溝内に挿入して移動し、互いに隣接して山折りとなる蓋体の端部に設けられた第２突起部が少なくとも第２溝内に挿入して移動することにより、鍵盤蓋を開くときに、複数の蓋体を第１、第２ガイド溝部で確実にガイドして谷折りと山折りとに折り畳むことができると共に、複数の蓋体を第１、第２ガイド溝部で確実に保持して楽器ケース内に収納することができる。
【００２５】
請求項７に記載の発明によれば、分岐部が、幅の狭い第２溝内に設けられて第２突起部の先端面が弾接して深さ方向に弾性変形する板ばね部材と、第２突起部の先端部のみが通過する切欠き部を有して板ばね部材の弾性変形に伴って第１溝内から第２溝側に向けて出没する規制部材とを備えていることにより、請求項３に記載の発明と同様、第２突起部の強度を確保するために、第２突起部を、第１溝に挿入する大径突起部の先端面に第２溝に挿入する小径突起部を設けた構成にし、この第２突起部が挿入して移動する第２ガイド溝部を、共通ガイド溝部の第１溝と第２溝とがそのまま延長された構成にしても、鍵盤蓋を開くときに、板ばね部材と規制部材とによって、共通ガイド溝部から複数の蓋体の第１突起部を第１ガイド溝部に確実にガイドすることができる共に、複数の蓋体の第２突起部を第２ガイド溝部に確実にガイドすることができ、これにより複数の蓋体を順次谷折りと山折りとに折り畳むことができる。
【００２６】
すなわち、鍵盤蓋を開くときに、複数の蓋体の第１突起部が順次共通ガイド溝部を移動して分岐部に到達すると、第１突起部の先端面が幅の狭い第２溝内の板ばね部材を押圧せず、弾性変形させることがないため、規制部材が第１溝内に突出した状態を維持し、この規制部材によって第１突起部を第１ガイド溝部の第１溝に確実にガイドすることができる。また、前蓋の第２突起部が共通ガイド溝部から分岐部に到達すると、第２突起部の先端部が板ばね部材を弾性変形させて規制部材を第１溝内から第２溝側に没入させるので、第１溝が開放される共に規制部材の切欠け部が第２溝に対応し、これにより切欠け部を第２突起部の先端部つまり小径突起部が通過すると共に、第２突起部の大径突起部が規制部材で規制されずに第１溝内を移動するので、第２突起部を第２ガイド溝部の第２溝に確実にガイドすることができ、これにより複数の蓋体を順次谷折りと山折りとに折り畳むことができる。
【発明を実施するための最良の形態】
【００２７】
（実施形態１）
以下、図１〜図１０を参照して、この発明を適用した鍵盤楽器の実施形態１について説明する。
図１はこの発明の鍵盤楽器を示した断面図、図２は図１の鍵盤蓋を拡大して示した要部の分解斜視図、図３は図２の鍵盤蓋を取り外した状態の鍵盤楽器を示した断面図である。
この鍵盤楽器は、図１に示すように、楽器ケース１を備え、この楽器ケース１内の前側（図１では左側）に鍵盤部２が配置され、この鍵盤部２の上側に鍵盤蓋３が開閉自在に設けられた構成になっている。
【００２８】
楽器ケース１は、図１および図３に示すように、底板４を備えている。この底板４の前端部（図３では左端部）には、前板５が立設されており、この底板４の後端部（図３では右端部）には、後板６が立設されている。また、底板４の両側部（図３では紙面の表裏面方向）には、側板７が立設されており、これら側板７の上部における後部間（図３では右側部の間）には、天板８が後板６の上端部に載置されて設けられている。これにより、楽器ケース１は、前板５と天板８との間が上方に開放され、この開放された部分から鍵盤部２が上側に露出するように構成されている。
【００２９】
鍵盤部２は、図１および図３に示すように、白鍵および黒鍵などの複数の鍵１０を鍵盤シャーシ１１上に配置したものであり、楽器ケース１内の底板４上に配置され、この状態で鍵盤シャーシ１１上の複数の鍵１０が前板５と天板８との間に位置して上部側に露出している。また、鍵盤蓋３は、図１および図２に示すように、前蓋１２と後蓋１３とを備え、この前蓋１２と後蓋１３とが連結部材１４によって分離可能に連結され、この状態で前蓋１２と後蓋１３とが楽器ケース１内の上部側に前後方向（図１では左右方向）にスライド可能に設けられ、これにより鍵盤部２を開閉自在に覆うように構成されている。なお、前蓋１２の先端部には、取手蓋１５が蝶番（図示せず）によって折れ曲がり可能に連結されている。
【００３０】
また、楽器ケース１の内面、つまり側板７の内面には、図１および図３に示すように、鍵盤蓋３を閉じた状態のときに前蓋１２と後蓋１３とを楽器ケース１内の前部側にほぼ平坦状にガイドする共通ガイド溝部１６と、鍵盤蓋３を開いときに後蓋１３を少し下げて楽器ケース１内の後部側にガイドする第１ガイド溝部１７と、前蓋１２を後蓋１３の上側にほぼ平行で且つほぼ水平な状態で楽器ケース１内の後部側にガイドする第２ガイド溝部１８と、第１、第２ガイド溝部１６、１７を共通ガイド溝部１５から分岐する分岐部１９とが設けられている。
【００３１】
すなわち、共通ガイド溝部１６は、図４（ａ）に示すように、幅の広い第１溝２０と、この第１溝２０内の底部（同図では左側の奥部）に設けられた幅の狭い第２溝２１とからなり、図３に示すように、鍵盤部２の前端部から鍵盤部２の上方に沿って鍵盤部２の後端部に亘り、緩やかに湾曲して設けられている。この場合、第１溝２０は、図４（ａ）に示すように、側板７の内面からの深さが浅く形成されており、第２溝２１は、側板７の内面からの深さが第１溝２０よりも深く形成されている。
【００３２】
第１ガイド溝部１７は、図３および図４（ｂ）に示すように、共通ガイド溝部１６の幅の広い第１溝２０が分岐部１９で分岐されて後部下がりに少し傾斜した状態で、楽器ケース１内の後端部に向けて延長された構成になっている。また、第２ガイド溝部１８は、図３および図４（ａ）に示すように、共通ガイド溝部１６と同様、幅の広い第１溝部２０と幅の狭い第２溝２１とからなり、これら第１、第２溝２０、２１が分岐部１９で分岐されてほぼ水平な状態で、つまり第１ガイド溝部１７の上側に沿ってほぼ平行な状態で楽器ケース１内の後端部に向けて延長された構成になっている。
【００３３】
一方、後蓋１３の両側面における前後部には、図１および図２に示すように、共通ガイド溝部１６と第１ガイド溝部１７との両者における幅の広い第１溝２０内に挿入して移動する第１突起部２２が設けられている。この場合、第１突起部２２は、図２に示すように、大径突起部であり、その直径が第１溝２０の幅とほぼ同じ大きさで、その高さが第１溝２０の深さとほぼ同じ長さの円柱状に形成されている。
【００３４】
また、前蓋１２の両側面における前後部には、図１および図２に示すように、共通ガイド溝部１６と第２ガイド溝部１８との両者における第１、第２溝２０、２１内に挿入して移動する第２突起部２３が設けられている。この第２突起部２３は、図２に示すように、その基端側に第１突起部２２と同じ大きさの大径突起部２３ａが形成され、この大径突起部２３ａの先端部に小径突起部２３ｂが形成された構成になっている。この場合、小径突起部２３ｂは、その直径が第２溝２１の幅と同じ大きさで、その高さが第２溝２１の深さとほぼ同じ長さの小径の円柱状に形成されている。なお、取手蓋１５の両側面における前後部にも、共通ガイド溝部１６内を移動する第２突起部２３が設けられている。
【００３５】
分岐部１９は、図３に示すように、鍵盤部２の後端部に対応する上側に位置し、共通ガイド溝部１６の後端部から第１、第２ガイド溝部１７、１８を分岐させるように構成されている。この分岐部１９は、図５〜図７に示すように、幅の狭い第２溝２１内に設けられた板ばね部材２４と、この板ばね部材２４に一体的に設けられて板ばね部材２４の弾性変形に伴って変位することにより、第１、第２突起部２２、２３をそれぞれ第１、第２ガイド溝部１７、１８に個別にガイドする規制部材２５とを備えている。
【００３６】
この場合、板ばね部材２４は、図５〜図７に示すように、両端部が低く、中間部が盛り上がった形状に形成され、第２溝２１内に配置されて、一端部がビス２４ａによって固定され、他端部が中間部の盛り上がった部分の弾性変形に伴って第２溝２１内をスライドするように配置され、この状態で中間部の盛り上がった部分が第２溝２１内でその深さ方向に弾性変形するように構成されている。すなわち、この板ばね部材２４は、第１突起部２２が通過するときに、第１突起部２２によって押圧されないため、弾性変形しないが、第２突起部２３が通過するときに、第２突起部２３の小径突起部２３ｂによって押圧されて弾性変形するように構成されている。
【００３７】
また、規制部材２５は、図５〜図７に示すように、板ばね部材２４の中間部に一体的に設けられて、第１溝２０を斜めに遮るように第１溝２０内に突出し、その中間部に第２突起部２３の小径突起部２３ｂのみが通過する切欠き部２５ａが設けられ、板ばね部材２４の弾性変形に伴って第１溝２０内から第２溝２１側に出没するように構成されている。すなわち、この規制部材２５は、後蓋１３の大径の第１突起部２２が板ばね部材２４に到達しても、板ばね部材２４の中間部が押圧されず、弾性変形しないため、規制部材２５が第１溝２０内に突出した状態を維持し、この突出した規制部材２５に第１突起部２２が当接することにより、この第１突起部２２を共通ガイド溝部１６から第１ガイド溝部１７に送り込むように構成されている。
【００３８】
また、この規制部材２５は、図５〜図７に示すように、第２突起部２３の小径突起部２３ｂが板ばね部材２４に到達して板ばね部材２４の中間部を押圧して弾性変形させると、この板ばね部材２４の弾性変形に伴って規制部材２５が第１溝２０内から第２溝部２１側に没入し、第１溝２０を開放すると共に切欠け部２５ａを第２溝２１に対応させることにより、第２突起部２３の小径突起部２３ｂが切欠け部２５ａを通過すると共に、第２突起部２３の大径突起部２３ｂが規制部材２５で規制されずに第１溝２０内を移動する状態になり、これにより第２突起部２３を共通ガイド溝部１６から第２ガイド溝部１８に送り込むように構成されている。
【００３９】
ところで、前蓋１２と後蓋１３とを分離可能に連結する連結部材１４は、図２に示すように、後蓋１３の後部に設けられた第１突起部２２に回動自在に取り付けられて後蓋１３の前方に突出する帯板状の第１連結片２６と、前蓋１２の前後部にそれぞれ設けられた第２突起部２３に架け渡されて取り付けられた帯板状の第２連結片２７とを備えている。この場合、第１連結片２６は、後蓋１３の前後方向の長さよりも少し長く形成され、その前端側に後蓋１３の前部の第１突起部２２を避ける湾曲部２６ａが設けられ、この湾曲した前端部に連結突起部２８が設けられている。
【００４０】
また、第２連結片２７は、前蓋１２の前後方向の長さとほぼ同じ長さで形成され、その長手方向に沿って第１連結片２６の連結突起部２８が移動可能に挿入するスリット孔２７ａが設けられている。これにより、連結部材１４は、第１連結片２６の連結突起部２８が後蓋１３の後部の第１突起部２２を中心に回動することにより、前蓋１２と後蓋１３とを分離させると共に、第１連結片２６の連結突起部２８が第２連結片２７のスリット孔２７ａ内を移動してスリット孔２７ａの後端部に当接することにより、前蓋１２の後部と後蓋１３の前部とを連結するように構成されている。
【００４１】
次に、この鍵盤蓋３の開閉装置の作用について説明する。
まず、鍵盤蓋３を閉じた状態のときには、図１に示すように、前蓋１２と後蓋１３とが楽器ケース１の共通ガイド溝部１６によって楽器ケース１内の前部側にガイドされてほぼ平坦状に保持され、これにより鍵盤部２を覆う。このときには、前蓋１２の第２突起部２３が共通ガイド溝部１６の第１、第２溝２０、２１に挿入して保持されると共に、後蓋１３の第１突起部２２が共通ガイド溝部１６の第１溝２０に挿入して保持される。なお、取手蓋１５は、その第２突起部２３が第１、第２溝２０、２１に挿入してほぼ垂直に配置された状態で保持されている。
【００４２】
この状態で、鍵盤蓋３を開くときには、図８に示すように、取手蓋１５を引き上げて楽器ケース１の後方に向けて移動させると、前蓋１２と後蓋１３とが共通ガイド溝部１６でガイドされて後方に向けて移動する。このときに、後蓋１３の後部が分岐部１９に到達すると、後蓋１３の後部の第１突起部２２が板ばね部材２４を押圧せずに第１溝２０内を移動して規制部材２５に当接し、この規制部材２５によって第１突起部２２がガイドされて第１ガイド溝部１７に送り込まれる。
【００４３】
すなわち、このときには、第１突起部２２の先端面が板ばね部材２４の盛り上がった中間部を押圧せず、板ばね部材２４を弾性変形させないため、この板ばね部材２４の中間部に設けられた規制部材２５が第１溝２０内から第２溝２１側に没入せずに、第１溝２０内に突出した状態を維持する。このため、この第１溝２０内に突出した規制部材２５によって第１突起部２２が第１ガイド溝部１７の第１溝２０にガイドされる。
【００４４】
そして、鍵盤蓋３が更に押されて後方に移動すると、後蓋１３の後部の第１突起部２２が第１ガイド溝部１７の第１溝２０でガイドされながら後部下がりに少し斜め後方に向けて移動する。このときに、後蓋１３の前部が分岐部１９に到達すると、上記と同様、後蓋１３の前部の第１突起部２２が板ばね部材２４を押圧せずに第１溝２０内を移動して規制部材２５に当接し、この規制部材２７によって第１突起部２２がガイドされて第１ガイド溝部１７の第１溝２０に送り込まれる。これにより、後蓋１３が分岐部１９で第１ガイド溝部１７に送り込まれて保持される。
【００４５】
この後、鍵盤蓋３が更に押されて後方に移動すると、前蓋１２の後部の第２突起部２３が分岐部１９に到達する。このときには、図９に示すように、第２突起部２３の小径突起部２３ｂが板ばね部材２４を押圧しながら第２溝２１内を移動して規制部材２５の切欠け部２５ａを通過すると共に、第２突起部３の大径突起部２３ａが第１溝２０内を移動し、これにより第２突起部２３が共通ガイド溝１６から第２ガイド溝部１８の第２溝２１に送り込まれる。
【００４６】
すなわち、第２突起部２３が板ばね部材２４に到達すると、第２突起部２３の小径突起部２３ｂが板ばね部材２４の盛り上がった中間部を押圧して弾性変形させる。このため、板ばね部材２４の中間部に設けられた規制部材２５が第１溝２０内から第２溝２１側に没入し、第１溝２０を開放すると共に規制部材２５の切欠け部２５ａを第２溝２１に対応させる。これにより、第２突起部２３の小径突起部２３ｂが規制部材２５の切欠け部２５ａを通過すると共に、第２突起部２３の大径突起部２３ａが規制部材２５で規制されずに第１溝２０内を移動するので、第２突起部２３が分岐部１９で第２ガイド溝部１８にガイドされる。
【００４７】
このときには、後蓋１３が第１ガイド溝部１７に配置されて後方への移動が停止されているので、連結部材１４の第１連結片２６が後蓋１３の後部の第１突起部２２を中心に回動し、これにより後蓋１３の前部と前蓋１２の後部とが上下に分離される。この状態で、鍵盤蓋３が更に押されて後方に移動すると、図１０に示すように、後蓋１３に取り付けられた第１連結片２６の連結突起部２８が前蓋１２に取り付けられた第２連結片２７のスリット孔２７ａ内を前方に向けて相対的に移動するので、前蓋１２の後部の第２突起部２３が第２ガイド溝部１８にガイドされて移動する。
【００４８】
そして、前蓋１２の前部が分岐部１９に到達すると、上記と同様、前蓋１２の前部に設けられた第２突起部２３の小径突起部２３ｂが板ばね部材２４を押圧しながら第２溝２１内を移動するので、板ばね部材２４の弾性変形に伴って規制部材２５が第１溝２０から第２溝２１側に没入し、これにより第１溝部２０を開放させて規制部材２５の切欠け部２５ａを第２溝２１に対応させるので、第２突起部２２が分岐部１９を通過して第２ガイド溝部１８に送り込まれ、前蓋１２が第２ガイド溝部１８に配置されて保持される。
【００４９】
このときにも、後蓋１３に取り付けられた第１連結片２６の連結突起部２８が前蓋１２に取り付けられた第２連結片２７のスリット孔２７ａ内を前方に向けて相対的に移動し、第２連結片２７のスリット孔２７ａの前端部に位置する。この状態では、前蓋１２が第２ガイド溝部１８に保持されると共に、後蓋１３が第１ガイド溝部１７に保持され、これにより前蓋１２と後蓋１３とが楽器ケース１内の後部側に上下に重なって折り畳まれた状態で配置される。
【００５０】
一方、鍵盤蓋３を閉じるときには、図１０に示すように、取手蓋１５を引出して前方に移動させると、これに伴って前蓋１２が第２ガイド溝部１８でガイドされて前方に移動し、前蓋１２の前部の第２突起部２３が上記と同様に分岐部１９を通過して共通ガイド溝部１６に合流する。このときには、後蓋１３に取り付けられた連結部材１４の第１連結片２６の連結突起部２８が前蓋１２に取り付けられた第２連結片２７のスリット孔２７ａに沿って後方に向けて相対的に移動するので、後蓋１３は移動せずに第１ガイド溝部１７に保持された状態を維持する。
【００５１】
この状態で、取手蓋１５を更に引出して前方に移動させると、図９に示すように、前蓋１２の後部の第２突起部２３が上記と同様に分岐部１９を通過して共通ガイド溝部１６に合流し、前蓋１２が共通ガイド溝部１６でガイドされる。このときには、後蓋１３の第１連結片２６の連結突起部２８が前蓋１２の第２連結片２７のスリット孔２７ａ内を移動してスリット孔２７ａの後端部に位置する。これにより、後蓋１３の前部が前蓋１２の後部に連結され、後蓋１３が連結部材１４を介して前蓋１２と共に前方に引出される。
【００５２】
この後、前蓋１２が更に前方に移動して、図８に示すように、後蓋１３の前部の第１突起部２２が分岐部１９に到達すると、上記と同様、分岐部１９の規制部材２５によって第１突起部２２がガイドされて共通ガイド溝部１６に合流する。この後、後蓋１３の後部の第１突起部２２が分岐部１９に到達して上記と同様に共通ガイド溝部１６に合流する。これにより、前蓋１２と後蓋１３とが共通ガイド溝部１６によって楽器ケース１内の前部側にガイドされて鍵盤部２を覆って閉じる。
【００５３】
このように、この鍵盤蓋３の開閉装置によれば、前蓋１２と後蓋１３とが連結部材１４によって分離可能に連結された鍵盤蓋３を閉じたときに、前蓋１２と後蓋１３とが楽器ケース１の共通ガイド溝部１６によって楽器ケース１内の前部側にガイドされてほぼ平坦状に保持されるので、前蓋１２と後蓋１３とによって鍵盤部２を確実に且つ良好に覆うことができる。また、共通ガイド溝部１６が分岐部１９によって第１ガイド溝部１７と第２ガイド溝部１８とに分岐されているので、鍵盤蓋３を開くときに、後蓋１３を楽器ケース１の第１ガイド溝部１７に確実に送り込むことができると共に、前蓋１２を楽器ケース１の第２ガイド溝部１８に確実に送り込むことができる。
【００５４】
これにより、第１ガイド溝部１７によって後蓋１３をガイドして確実に保持することができると共に、第２ガイド溝部１８によって前蓋１２をガイドして後蓋１３の上側にほぼ平行に保持することができる。このため、鍵盤蓋３を開いて楽器ケース１内に収納した状態のときには、第１、第２ガイド溝部１７、１８によって前蓋１２と後蓋１３とを楽器ケース１内に上下に重ねて確実に保持することができるので、鍵盤蓋３が前蓋１２と後蓋１３とを連結部材１４で分離可能に連結した構成であっても、楽器ケース１内に前蓋１２と後蓋１３とを安定した状態で収納することができると共に、前蓋１２と後蓋１３とを上下に重ねてコンパクトに折り畳んで楽器ケース１内に良好に収納することができる。
【００５５】
この場合、共通ガイド溝部１６は、幅の広い第１溝２０と、この第１溝２０内の底部に設けられた幅の狭い第２溝２１とからなり、第１溝２０が分岐部１９で分岐されて第１ガイド溝部１７として楽器ケース１の後部側に延長され、第１、第２溝２０、２１が分岐部１９で分岐されて第２ガイド溝部１８として楽器ケース１の後部側に第１ガイド溝部１７とほぼ平行に延長され、後蓋１３の前後部に設けられた第１突起部２２が第１溝２０内に挿入して移動し、前蓋１２の前後部に設けられた第２突起部２３が第１、第２溝２０、２１内に挿入して移動することにより、鍵盤蓋３を開くときに、後蓋１３を共通ガイド溝部１６から第１ガイド溝部１７に確実にガイドして保持することができると共に、前蓋１２を共通ガイド溝部１６から第２ガイド溝部１８に確実にガイドして後蓋の上側にほぼ平行に保持することができる。
【００５６】
また、前蓋１２と後蓋１３とを分離可能に連結する連結部材１４は、後蓋１３の後部に設けられた第１突起部２２に回動可能に取り付けられて後蓋１３の前方に突出する前端部に連結突起部２８を有する第１連結片２６と、前蓋１２の前後部にそれぞれ設けられた第２突起部２３に取り付けられて第１連結片２６の連結突起部２８が移動可能に挿入するスリット孔２７ａを有する第２連結片２７とを備えていることにより、鍵盤蓋３を開くときに、前蓋１２と後蓋１３とを連結部材１４によって確実に分離させて第１、第２ガイド溝部１７、１８に個別に送り込むことができ、また鍵盤蓋３を閉じるときに、前蓋１２と後蓋１３とを連結部材１４によって確実に連結して連動させることができる。
【００５７】
すなわち、鍵盤蓋３を開いて前蓋１２と後蓋１３とを楽器ケース１内に収納するときに、後蓋１３が第１ガイド溝部１７でガイドされて収納されると、連結部材１４の第１連結片２６が後蓋１３の後部の第１突起部２２を中心に回動するので、前蓋１２の後部と後蓋１３の前部とを分離することができると共に、第１連結片２６の連結突起部２８が第２連結片２７のスリット孔２７ａ内を前側に向けて相対的に移動するので、前蓋１２を第２ガイド溝部１８でガイドすることができ、これにより前蓋１２と後蓋１３とを分離させて上下に重ねて収納することができる。
【００５８】
また、鍵盤蓋３を閉じるときには、前蓋１２と後蓋１３とが分離されているので、前蓋１２を引出しても、初期段階では後蓋１３が前蓋１２と共に引出されず、第１連結片２６の連結突起部２８が第２連結片２７のスリット孔２７ａ内を後方に向けて相対的に移動する。そして、この連結突起部２８が第２連結片２７のスリット孔２７ａの後端部に当接すると、連結突起部２８によって前蓋１２と後蓋１３とが連結されるので、後蓋１３を前蓋１２と共に前方に向けて確実に移動させることができ、これにより前蓋１２と後蓋１３とで鍵盤部２を覆うことができる。
【００５９】
さらに、分岐部１９は、幅の狭い第２溝２１内に設けられて第２突起部２３の先端面が弾接して深さ方向に弾性変形する板ばね部材２４と、前蓋１２の第２突起部２３の小径突起部２３ｂのみが通過する切欠き部２５ａを有して板ばね部材２４の弾性変形に伴って第１溝２０内から第２溝２１側に向けて出没する規制部材２５とを備えているので、第２突起部２３の強度を確保するために、第２突起部２３を、第１溝２０に挿入する大径突起部２３ａの先端面に第２溝２１に挿入する小径突起部２３ｂを設けた構成にし、この第２突起部２３が挿入して移動する第２ガイド溝部１８を、共通ガイド溝部１６の第１、第２溝２０、２１がそのまま延長された構成にしても、鍵盤蓋３を開くときに、板ばね部材２４と規制部材２５とによって、第１、第２突起部２２、２３を共通ガイド溝部１６から第１、第２ガイド溝部１７、１８に個別にガイドすることができる。
【００６０】
すなわち、鍵盤蓋３を開くときに、後蓋１３の第１突起部２２が共通ガイド溝部１６を移動して分岐部１９に到達すると、第１突起部２２の先端面が板ばね部材２４を押圧せず、板ばね部材２４を弾性変形させることがないため、規制部材２５が第１溝２０内に突出した状態を維持し、この規制部材２５によって第１突起部２２が第２ガイド溝１８の第１溝２０に侵入するのを阻止して、第１突起部２２を共通ガイド溝１６から第１ガイド溝部１７の第１溝２０に確実にガイドすることができる。
【００６１】
また、前蓋１２の第２突起部２３が共通ガイド溝部１６から分岐部１９に到達すると、第２突起部２３の小径突起部２３ｂが板ばね部材２４を弾性変形させて規制部材２５を第１溝２０内から第２溝２１側に没入させるので、規制部材２５の切欠け部２５ａが第２溝２１に対応して第１溝２０が開放され、これにより切欠け部２５ａを第２突起部２３の小径突起部２３ｂが通過すると共に、第２突起部２３の大径突起部２３ａが規制部材２５で規制されずに第１溝２０内を移動する。このため、第２突起部部２３を共通ガイド溝１６から第２ガイド溝部１８の第１、第２溝２０、２１に確実にガイドすることができる。
【００６２】
なお、上記実施形態１では、第１ガイド溝部１７に第１溝２０を設け、第２ガイド溝部１８に第１、第２溝２０、２１を設けた場合について述べたが、これに限らず、例えば第１ガイド溝部１７に第１、第２溝２０、２１を設け、第２ガイド溝部１８に第１溝２０を設けた構成にしても良い。このように構成すれば、鍵盤蓋３を楽器ケース１内に収納するときに、後蓋１３を第２ガイド溝部１８でガイドすることができ、また前蓋を第１ガイド溝部１７でガイドすることができるので、実施形態１とは逆に、後蓋１３の下側に前蓋１２を重ねて収納することができる。
【００６３】
（実施形態２）
次に、図１１〜図１４を参照して、この発明を適用した鍵盤楽器の実施形態２について説明する。なお、図１〜図１０に示された実施形態１と同一部分には同一符号を付して説明する。
この鍵盤楽器は、複数の蓋体３０を屈曲自在の連結シート３１で折り曲げ可能に順次連結した鍵盤蓋３２で、楽器ケース１内の前部側に設けられた鍵盤部２を開閉自在に覆う構成で、これ以外は実施形態１とほぼ同じ構成になっている。
【００６４】
すなわち、鍵盤蓋３２は、図１３および図１４に示すように、横方向（図１４では紙面の表面方向）に細長い帯板状の蓋体３０を順次配列し、その下面に屈曲可能な連結シート３１を蓋体３０の配列方向に連続させて貼り付けることにより、複数の蓋体３０が順次谷折りと山折りとに折れ曲がるように構成されている。また、楽器ケース１における側板７の内面には、実施形態１と同様、鍵盤蓋３２を閉じた状態のときに複数の蓋体３０を楽器ケース１内の前部側にほぼ平坦状にガイドする共通ガイド溝部１６と、鍵盤蓋３２を開いときに複数の蓋体３０を順次折り畳みながら楽器ケース１内の後部側にガイドする第１、第２ガイド溝部１７、１８と、この第１、第２ガイド溝部１７、１８を共通ガイド溝部１６から分岐する分岐部１９とが設けられている。
【００６５】
この場合、共通ガイド溝部１６は、実施形態１と同様、幅の広い第１溝２０と、この第１溝２０内の底部に設けられた幅の狭い第２溝２１とからなり、図１２に示すように、鍵盤部２の前端部から鍵盤部２の上方に沿って鍵盤部２の後端部に亘り、緩やかに湾曲して設けられている。この場合にも、第１溝２０は、図４（ａ）に示したように、側板７の内面からの深さが浅く形成されており、第２溝２１は、側板７の内面からの深さが第１溝２０よりも深く形成されている。
【００６６】
第１ガイド溝部１７は、実施形態１と同様、共通ガイド溝部１６の幅の広い第１溝２０が分岐部１９で分岐されて後部下がりに傾斜した状態で、楽器ケース１内の後端部に向けて延長された構成になっている。また、第２ガイド溝部１８は、図１１に示すように、共通ガイド溝部１６と同じ幅の広い第１溝２０と幅の狭い第２溝２１とからなり、これら第１、第２溝２０、２１が分岐部１９で分岐されて第１ガイド溝部１７の上側に所定間隔をおいてほぼ平行な状態で、楽器ケース１内の後端部に向けて延長された構成になっている。
【００６７】
一方、複数の蓋体３０のうち、互いに隣接して谷折りとなる各蓋体３０の端部側面、つまり図１２における下側に位置する端部側面には、図１１〜図１４に示すように、第１溝２０内に挿入して移動する第１突起部２２が設けられている。また、互いに隣接して山折りとなる各蓋体３０の端部側面、つまり図１２における上側に位置する端部側面には、第１、第２溝２０、２１内に挿入して移動する第２突起部２３が設けられている。
【００６８】
すなわち、複数の蓋体３０の最後部に位置する蓋体３０の後部には、図１１に示すように、第２ガイド溝部１８にガイドされる第２突起部２３が設けられており、この最後部の蓋体３０の前部には、第１ガイド溝部１７にガイドされる第１突起部２２が設けられている。また、この最後部の蓋体３０に隣接する蓋体３０の後部には、図１１に示すように、第１ガイド溝部１７にガイドされる第１突起部２２が設けられており、この蓋体３０の前部には、第２ガイド溝部１８にガイドされる第２突起部２３が設けられている。以下、同様に、各蓋体３０の前後部には、第１突起部２２と第２突起部２３とが交互に設けられている。これにより、複数の蓋体３０は、図１２に示すように、その後部側から順に谷折りと山折りとに折れ曲がるように構成されている。
【００６９】
この場合、第１突起部２２は、実施形態１と同様、大径突起部であり、その直径が第１溝２０の幅とほぼ同じ大きさで、その高さが第１溝２０の深さとほぼ同じ長さの円柱状に形成されている。また、第２突起部２３は、図１３および図１４に示すように、その基端側に第１突起部２２と同じ大きさの大径突起部２３ａが形成され、この大径突起部２３ａの先端部に小径突起部２３ｂが形成された構成になっている。この場合、小径突起部２３ｂは、その直径が第２溝２１の幅と同じ大きさで、その高さが第２溝２１の深さとほぼ同じ長さの円柱状に形成されている。
【００７０】
ところで、分岐部１９は、実施形態１と同様、鍵盤部２の後端部に対応する上側に位置し、共通ガイド溝部１６の後端部から第１、第２ガイド溝部１７、１８を分岐させるように構成されている。この分岐部１９も、幅の狭い第２溝２１内に設けられた板ばね部材２４と、この板ばね部材２４に一体的に設けられて板ばね部材２４の弾性変形に伴って変位することにより、第１、第２突起部２２、２３をそれぞれ第１、第２ガイド溝部１７、１８に個別にガイドする規制部材２５とを備えている。
【００７１】
この場合にも、板ばね部材２４は、第１突起部２２が通過するときに、第１突起部２２によって押圧されずに弾性変形しないが、第２突起部２３が通過するときに、第２突起部２３の小径突起部２３ｂによって押圧されて弾性変形するように構成されている。また、規制部材２５も、実施形態１と同様、第１溝２０を斜めに遮るように第１溝２０内に突出し、その中間部に第２突起部２３の小径突起部２３ｂのみが通過する切欠き部２５ａが設けられ、板ばね部材２４の弾性変形に伴って第１溝２０内から第２溝２１側に出没するように構成されている。
【００７２】
次に、この鍵盤蓋３２の開閉装置の作用について説明する。
まず、鍵盤蓋３２を閉じた状態のときには、図１１に示すように、複数の蓋体３０が楽器ケース１の共通ガイド溝部１６によって楽器ケース１の前部側にガイドされてほぼ平坦状に保持され、これにより鍵盤部２を覆う。このときには、複数の蓋体３０の第１、第２突起部２２、２３が共通ガイド溝部１６の第１、第２溝２０、２１にそれぞれ挿入されて保持されている。
【００７３】
この状態で、鍵盤蓋３２を開くときには、図１１に示すように、最先端の蓋体３０を引き上げて楽器ケース１の後方に向けて移動させると、複数の蓋体３０が共通ガイド溝部１６でガイドされて後方に向けて移動する。このときに、最後部に位置する蓋体３０の後部が分岐部１９に到達すると、この最後部の蓋体３０における後部側の第２突起部２３が分岐部１９で第２ガイド溝部１８にガイドされる。すなわち、第２突起部２３が板ばね部材２４に到達すると、第２突起部２３の小径突起部２３ｂが板ばね部材２４の盛り上がった中間部を押圧して弾性変形させる。
【００７４】
このため、板ばね部材２４の中間部に設けられた規制部材２５が第１溝２０内から第２溝２１側に没入し、第１溝２０が開放されると共に規制部材２５の切欠け部２５ａが第２溝２１に対応する。これにより、第２突起部２３の小径突起部２３ｂが規制部材２５の切欠け部２５ａを通過すると共に、第２突起部２３の大径突起部２３ａが規制部材２５によって規制されずに第１溝２０内を移動するので、第２突起部２３が分岐部１９で第２ガイド溝部１８にガイドされる。
【００７５】
この後、鍵盤蓋３２が更に押されて後方に移動すると、最後部に位置する蓋体３０の前部が分岐部１９に到達し、この最後部の蓋体３０における前部側の第１突起部２２が分岐部１９で第１ガイド溝部１７にガイドされる。すなわち、第１突起部２２が板ばね部材２４に到達しても、板ばね部材２４が第１突起部２２で押圧されず、弾性変形しないため、規制部材２５が第１溝２０内に突出した状態を維持し、この規制部材２５に第１突起部２２が当接し、これにより第１突起部２２が規制部材２５でガイドされて第１ガイド溝部１７に送り込まれる。
【００７６】
このように、最後部の蓋体３０の前部側に位置する第１突起部２２が分岐部１９によって共通ガイド溝部１７から第１ガイド溝部１７にガイドされると、これに隣接する蓋体３０の後部側の第１突起部２２も、上記と同様に、分岐部１９によって共通ガイド溝部１７から第１ガイド溝部１７にガイドされる。これにより、最後部の蓋体３０の前部側とこれに隣接する蓋体３０の後部側とが、図１２に示すように、谷折りになる。
【００７７】
この後、鍵盤蓋３２が更に押されて後方に移動すると、最後部の蓋体３０に隣接する蓋体３０における前部側の第２突起部２３が分岐部１９で第２ガイド溝部１８にガイドされると共に、この蓋体３０に隣接する次の蓋体３０における後部側の第２突起部２３も分岐部１９で第２ガイド溝部１８にガイドされる。これにより、最後部の蓋体３０に隣接する蓋体３０の前部側とこれに隣接する次の蓋体３０の後部側とが山折りになる。このように、鍵盤蓋３２が順次後方に移動するのに伴って、複数の蓋体３０が順次谷折りと山折りとを繰り返して、図１２に示すように、楽器ケース１内の後部側に折り畳まれて収納される。
【００７８】
また、鍵盤蓋３２を閉じるときには、図１２に示すように、最先端の蓋体３０を引出して前方に向けて移動させると、これに伴って複数の蓋体３０が第１、第２ガイド溝部１７、１８でそれぞれガイドされて分岐部１９で順次共通ガイド溝１６に合流する。すなわち、複数の蓋体３０に設けられた第１、第２突起部２２、２３がそれぞれ第１、第２ガイド溝部１７、１８によってガイドされ、分岐部１９で第１、第２突起部２２、２３が共通ガイド溝部１６に順次ガイドされて合流する。これにより、複数の蓋体３０が共通ガイド溝部１６によって楽器ケース１の前部側にガイドされて鍵盤部２を覆って閉じる。
【００７９】
このように、この鍵盤蓋３２の開閉装置によれば、複数の蓋体３０が屈曲可能な連結シート３１で折り曲げ可能に順次連結された鍵盤蓋３２を閉じた状態のときに、複数の蓋体３０が楽器ケース１の共通ガイド溝部１６によって楽器ケース１内の前部側にガイドされてほぼ平坦状に保持されるので、複数の蓋体３０によって鍵盤部２を確実に且つ良好に覆うことができる。また、共通ガイド溝部１６が分岐部１９によって第１ガイド溝部１７と第２ガイド溝部１８とに分岐されているので、鍵盤蓋３２を開くときに、複数の蓋体３０を第１、第２ガイド溝部１７、１８で確実にガイドしながら順次谷折りと山折りとに折り畳むことができると共に、複数の蓋体３０を第１、第２ガイド溝部１７、１８で確実に保持することができる。
【００８０】
このため、鍵盤蓋３２を開いて楽器ケース１内に収納した状態のときには、第１、第２ガイド溝部１７、１８によって複数の蓋体３０を楽器ケース１内の後部側に谷折りと山折りとに交互に折り畳んで確実に保持することができるので、鍵盤蓋３２が複数の蓋体３０を屈曲可能な連結シート３１で折り曲げ可能に順次連結した構成であっても、楽器ケース１内の後部側に複数の蓋体３０を安定した状態で収納することができると共に、複数の蓋体３０を順次折り畳んで楽器ケース１内の後部側にコンパクトに収納することができる。
【００８１】
この場合、共通ガイド溝部１６は、実施形態１と同様、幅の広い第１溝２０と、幅の狭い第２溝２１とからなり、第１ガイド溝部１７は第１溝２０が分岐部１９で分岐されて楽器ケース１内の後部側に延長され、第２ガイド溝部１８は第２溝２１が分岐部１９で分岐されて楽器ケース１内の後部側に第１ガイド溝１７とほぼ平行に延長され、複数の蓋体３０のうち、互いに隣接して谷折りとなる蓋体３０の端部に設けられた第１突起部２２が第１溝２０内に挿入して移動し、互いに隣接して山折りとなる蓋体３０の端部に設けられた第２突起部２３が第２溝２１内に挿入して移動するので、鍵盤蓋３２を開くときに、複数の蓋体３０を第１、第２ガイド溝部１７、１８で確実にガイドして谷折りと山折りとに順次折り畳むことができると共に、複数の蓋体３０を第１、第２ガイド溝部１７、１８で確実に保持して楽器ケース１内に収納することができる。
【００８２】
また、分岐部１９は、幅の狭い第２溝２１内に設けられて第２突起部２３の先端面が弾接して深さ方向に弾性変形する板ばね部材２４と、第２突起部２３の小径突起部２３ｂが通過する切欠き部２５ａを有して板ばね部材２４の弾性変形に伴って第１溝２０内から第２溝２１側に向けて出没する規制部材２５とを備えていることにより、実施形態１と同様、第１、第２突起部２２、２３をそれぞれ第１、第２ガイド溝部１７、１８に個別にガイドすることができる。
【００８３】
すなわち、この分岐部１９が板ばね部材２４と規制部材２５とを備えていることにより、第２突起部２３の強度を確保するために、第２突起部２３を、第１溝２０に挿入する大径突起部２３ａの先端面に第２溝２１に挿入する小径突起部２３ｂを設けた構成にし、この第２突起部２３が挿入して移動する第２ガイド溝部１８を、共通ガイド溝部１６の第１、第２溝２０、２１がそのまま延長された構成にしても、鍵盤蓋３２を開くときに、板ばね部材２４と規制部材２５とによって、共通ガイド溝部１６から複数の蓋体３０の第１突起部２２を第１ガイド溝部１７に確実にガイドすることができる共に、複数の蓋体３０の第２突起部２３を第２ガイド溝部１８に確実にガイドすることができ、これにより複数の蓋体３０を順次谷折りと山折りとに折り畳むことができる。
【００８４】
なお、上記実施形態２では、複数の蓋体３０の下面に屈曲可能な連結シート３１を貼り付けて鍵盤蓋３２を構成した場合について述べたが、これに限らず、例えば図１５に示すように、複数の蓋体３０の上面にも屈曲可能な化粧シート３５を貼り付けた構成でも良い。このように構成すれば、化粧シート３５によって複数の蓋体３０の連結強度を高めることができるほか、この化粧シート３５によって鍵盤蓋３２に装飾効果をもたせることができ、商品価値を高めることができる。
【００８５】
また、上記実施形態１または２では、分岐部１９に板ばね部材２４と規制部材２５とを設けた場合について述べたが、必ずしも分岐部１９に板ばね部材２４や規制部材２５を設ける必要はない。この場合には、第２突起部を幅の狭い第２溝内に挿入する小径突起部のみの円柱状に形成し、且つ第２ガイド溝部を幅の狭い第２溝のみで形成すれば良い。このように構成すれば、第２突起部が第２溝のみでガイドされ、大径の第１突起部が第１溝のみでガイドされるので、分岐部１９に板ばね部材２４や規制部材２５を設けなくても、円滑に且つ確実に第１、第２突起部を分岐させることができる。
【図面の簡単な説明】
【００８６】
【図１】この発明を適用した鍵盤楽器の断面図である。（実施形態１）
【図２】図１の鍵盤蓋を拡大して示した要部の分解斜視図である。
【図３】図２の鍵盤蓋を取り除いた状態の鍵盤楽器の断面図である。
【図４】図３の各ガイド溝部を示し、（ａ）は共通ガイド溝部と第２ガイド溝部との要部を示した拡大斜視図、（ｂ）は第１ガイド溝部の要部を示した拡大斜視図である。
【図５】図３の分岐部を示した拡大図である。
【図６】図５のＡ−Ａ矢視における断面図である。
【図７】図５の分岐部を示した要部の斜視図である。
【図８】図１の鍵盤蓋を開き始めた状態を示した鍵盤楽器の断面図である。
【図９】図８の鍵盤蓋を更に開いて後蓋が第１ガイド溝部にガイドされて保持された状態を示した鍵盤楽器の断面図である。
【図１０】図９の状態から更に鍵盤蓋を開いて前蓋の後部が第２ガイド溝部にガイドされた状態を示した鍵盤楽器の断面図である。
【図１１】この発明を適用した鍵盤楽器の断面図である。（実施形態２）
【図１２】図１１の鍵盤蓋を楽器ケース内に収納した状態を示した鍵盤楽器の断面図である。
【図１３】図１１の鍵盤蓋の要部を拡大して示した分解斜視図である。
【図１４】図１３の鍵盤蓋の要部を示した拡大側面図である。
【図１５】実施形態２の鍵盤蓋の変形例を示した拡大側面図である。
【符号の説明】
【００８７】
１  楽器ケース
２  鍵盤部
３、３２  鍵盤蓋
１２  前蓋
１３  後蓋
１４  連結部材
１６  共通ガイド溝部
１７  第１ガイド溝部
１８  第２ガイド溝部
２０  第１溝
２１  第２溝
２２  第１突起部
２３  第２突起部
２３ａ  大径突起部
２３ｂ  小径突起部
２４  板ばね部材
２５  規制部材
２５ａ  切欠け部
２６  第１連結片
２７  第２連結片
２７ａ  スリット孔
２８  連結突起部
３０  蓋体
３１  連結シート
【図１】
0004635926.tif 000002
【図２】
0004635926.tif 000003
【図３】
0004635926.tif 000004
【図４】
0004635926.tif 000005
【図５】
0004635926.tif 000006
【図６】
0004635926.tif 000007
【図７】
0004635926.tif 000008
【図８】
0004635926.tif 000009
【図９】
0004635926.tif 000010
【図１０】
0004635926.tif 000011
【図１１】
0004635926.tif 000012
【図１２】
0004635926.tif 000013
【図１３】
0004635926.tif 000014
【図１４】
0004635926.tif 000015
【図１５】
0004635926.tif 000016